(57)【特許請求の範囲】
【請求項１】
上部に開口部を設けた直方体の廃棄物の分別室を構成し、この開口部の上方に吸込み用の第１送風機を設け、前記分別室の側面に廃棄物の吸込み装置を取り付け、前記分別室内部上方で、開口部の下方にミスト発生装置を設け、このミスト発生装置の下方にフィルタを設けると共に、分別室の下端に底板を開閉可能に取り付け、前記底板を開くと前記第１送風機は停止して、底板上の廃棄物は下方に落下し、前記分別室に隣接して廃棄物を運搬する振動篩装置を配置し、前記振動篩装置は、振動装置を備えた長尺の篩部を架台上にスプリングを介して傾斜して設置し、前記篩部の前端に先端部を取り付けてなり、前記廃棄物の吸込み装置の先端を前記篩部の先端部に配置した廃棄物分別装置。
【請求項２】
上部に開口部を設けた廃棄物の分別室を構成し、この開口部の上に吸込み用の第１送風機を設け、その側方に送風用の第２送風機を設け、前記分別室の側面に廃棄物の吸込み装置を取り付け、
前記分別室内部上方で、開口部の下方にミスト発生装置を設け、このミスト発生装置の下方にフィルタを設けると共に、分別室の底板を開閉可能に構成し、
前記分別室に隣接して廃棄物の運搬装置を配置し、
前記廃棄物の吸込み装置の先端と第２送風機の送風装置の先端を廃棄物の運搬装置の表面に配置した廃棄物分別装置。
【発明の詳細な説明】
【技術分野】
【０００１】
本発明は、送風機の吸引力によって生じる風力を利用して産業廃棄物を効率的に選別する廃棄物分別装置に関するものである。
【背景技術】
【０００２】
家屋やビル等の構造物を取り壊した際等に発生する混合廃棄物は、石や土、コンクリート、ガラス、木材、廃プラスチック、金属等の雑多なものが異なる大きさで含まれている。このような混合廃棄物の種類や大きさ等に応じて分別するために、風力を利用して重量物と軽量物を分別するようにした風力選別機が提案されている。
【０００３】
例えば、特許文献１に示す風力選別機は、混合廃棄物を移送する振動コンベアー（２）と、該振動コンベアーの落下口の下に複数段の送風噴出口（３）を設けてある。また、風力選別した回収資材を収容するコンテナーと前記送風噴出口付近を覆うチャンバー（５）を備え、該チャンバー内を大気圧より僅かに負圧に保つための吸気装置を具備した風力選別機である。
【０００４】
前記特許文献１記載の発明によれば、簡単で確実な選別ができ、作業環境も良好で大気汚染の原因にもならず、極力リサイクルを可能にすることができるとされる。
【先行技術文献】
【特許文献】
【０００５】
【特許文献１】特開２００７−１７５６８３号公報しかし前記発明によれば、振動コンベアーの落下口の下に送風噴出口（３）を設けて、その風力で落下してくる廃棄物を選別するものであるため、廃棄物の量や質によって選別にばらつきがでることがあると共に、装置が大掛かりとなるなどの問題点があった。
【発明の概要】
【発明が解決しようとする課題】
【０００６】
本発明は、上記課題を解決するために、材質の異なる混合物である産業廃棄物を送風機の吸引力によって生じる風力によって効率良く分別するものであり、空気を吸引するため空気の流れが一方向となり乱流が発生せず分別精度が良くなり、産業廃棄物のリサイクルに貢献し、かつ粉塵も最終段階で集塵して大気汚染の恐れも少ない廃棄物分別装置を提供することを目的とする。
【課題を解決するための手段】
【０００７】
本発明は、上部に開口部を設けた直方体の廃棄物の分別室を構成し、この開口部の上方に吸込み用の第１送風機を設け、前記分別室の側面に廃棄物の吸込み装置を取り付け、前記分別室内部上方で、開口部の下方にミスト発生装置を設け、このミスト発生装置の下方にフィルタを設けると共に、分別室の下端に底板を開閉可能に取り付け、前記底板を開くと前記第１送風機は停止して、底板上の廃棄物は下方に落下し、前記分別室に隣接して廃棄物を運搬する振動篩装置を配置し、前記振動篩装置は、振動装置を備えた長尺の篩部を架台上にスプリングを介して傾斜して設置し、前記篩部の前端に先端部を取り付けてなり、前記廃棄物の吸込み装置の先端を前記篩部の先端部に配置した廃棄物分別装置である。
【０００８】
本発明は、上部に開口部を設けた廃棄物の分別室を構成し、この開口部の上に吸込み用の第１送風機を設け、その側方に送風用の第２送風機を設け、前記分別室の側面に廃棄物の吸込み装置を取り付け、前記分別室内部上方で、開口部の下方にミスト発生装置を設け、このミスト発生装置の下方にフィルタを設けると共に、分別室の底板を開閉可能に構成し、前記分別室に隣接して廃棄物の運搬装置を配置し、前記廃棄物の吸込み装置の先端と第２送風機の送風装置の先端を廃棄物の運搬装置の表面に配置した廃棄物分別装置。
【発明の効果】
【０００９】
請求項１の発明によれば、廃棄物の分別室の上方に設けた第１送風機と、分別室の側面に設けた廃棄物の吸込み装置によって、振動篩装置によって動摩擦を生じながら運搬されている産業廃棄物を分別室に送り込み効率良く分別し、分別室の底板を開閉可能に構成することで、分別室内の廃棄物を効率よく取り出し、前記開口部の下方に設けたミスト発生装置とフィルタによって、粉塵の外部流出を防ぎ大気汚染の恐れも少ない等の効果を奏する。
【００１０】
請求項２の発明によれば、廃棄物の分別室の上方に設けた吸込み用の第１送風機と、送風用の第２送風機と、分別室の側面に設けた廃棄物の吸込み装置によって、運搬装置の上で静止状態で運搬されている産業廃棄物を、送風口から空気を噴出させて動摩擦を生じさせ、かつ前記送風口からの風力より大きな吸引力を有する第１送風機によって、廃棄物を外部に流出することなく分別室に送り込み効率良く分別し、分別室の底板を開閉可能に構成することで、分別室内の廃棄物を効率よく取り出し、前記開口部の下方に設けたミスト発生装置とフィルタによって、粉塵の外部流出を防ぎ大気汚染の恐れも少ない等の効果を奏する。
【図面の簡単な説明】
【００１１】
【図１】本発明の実施例１の正面図
【図２】本発明の実施例１の平面図
【図３】本発明の実施例１の作動説明図
【図４】本発明の実施例１の分別室の側面図
【図５】本発明の実施例１の分別室の一部省略平面図
【図６】本発明の実施例２の正面図
【図７】本発明の実施例２の平面図
【図８】本発明の実施例２の作動説明図
【発明を実施するための形態】
【００１２】
直方体の廃棄物の分別室の天板の一部に開口部を構成し、この開口部の上方の天板上に吸込み用の第１送風機を設置する。そして分別室内の上端で開口部の下方周囲にミスト発生装置を設けると共に、このミスト発生装置下方にフィルタを取り付ける。一方、前記分別室の底板を開閉可能に構成する。
前記分別室の側板に、先端に吸込部を備えたダクトホースからなる廃棄物の吸込み装置を取り付け、前記吸込部の先端を廃棄物運搬用の振動篩装置の前端に配置した廃棄物分別装置である。
【実施例１】
【００１３】
本発明の実施例１は図１から図５に示すものである。
本実施例は、架台９０上に設置した直方体の廃棄物の分別室１０と、この分別室１０の一側板１１ａに固定したダクトホース３０と、前記分別室１０の近傍に設置した廃棄物の運搬手段である振動篩装置４０からなる。以下、上記構成を図に基づいて詳しく説明する。
【００１４】
前記分別室１０の天板１２には開口部１６を構成する。この開口部１６の上部の天板上には吸込み用の第１送風機２０を設置する。
そして分別室１０内の上端で前記開口部１６の下方位置にミスト発生装置１８を設ける。さらにこのミスト発生装置１８下方にフィルタ１７を構成する。このフィルタ１７は、開口部１６からの微細な粉塵の排出防止用であるため、分別室１０の上端面全域にわたって構成されている。
【００１５】
前記分別室１０の底板であるデッキ１３は、側板１１ｂの下端に蝶番１４によって開閉自在に取り付けてあり、中央の一側部を外側に延長して突起部１３ａを構成する。
一方、側板１１ｂの表面には前記デッキ１３開閉用のパワーシリンダ１５が設けてあり、このパワーシリンダ１５の先端を、前記デッキ１３の突起部１３ａに固定してある。
【００１６】
廃棄物の吸込み装置は、分別室１０の側板１１ａに一端を固定したダクトホース３０と、この他端に設けた吸込部３１によって構成され、前記吸込部３１の先端を振動篩装置４０の前端表面近傍に配置する。
【００１７】
前記振動篩装置４０は、長尺の篩部４２を架台９１上にスプリング４９を介して前方（図１左方）に向かって低くなるように傾斜して設置し、この篩部４２の中央に振動装置４４を備えたものである。
そして、前記篩部４２の後端にホッパー４５を配置し、前端の先端部４１には、前記吸込部３１の先端が配置されている。
【００１８】
上記のように構成した実施例１の作用を説明する。
まず、産業廃棄物１００をホッパー４５に投入し振動篩装置４０の後端に落下させる。その後振動装置４４を作動させると、廃棄物は篩部４２の傾斜に伴って、篩部４２上を前方に向かって移動していく。このとき細かい廃棄物、具体的には２０ｍｍ程度より小さいものは、篩部４２によって落下して堆積物８３となる。これは、土、砂としてリサイクルして使用される。
【００１９】
一方、分別室１０の吸込み用の第１送風機２０を作動させることで、ダクトホース３０の中には、図１の矢印に示す空気の流れが形成され吸引力が発生する。
これによって、廃棄物１００が篩部４２の先端部４１に到ったときに、ダクトホース３０の先端の吸込部３１の吸引力によって空気と共に廃棄物のうち軽量物が吸引され、それらはダクトホース３０を通って分別室１０に送られていく。
ここで軽量物とは、手で拾えないような３ｍｍ以下の大きさで比重の小さいもの、例えば、木屑、プラスチックなど可燃性のものを指し、また体積が大きく比重の小さい物も指す。後者は、風量の調整によって吸引できるのである、
【００２０】
このとき、篩部４２上の廃棄物１００は常に振動を与えられているため、篩部４２上を滑りながらあるいは転がりながら運ばれていく。そのため廃棄物１００には静止摩擦は生ぜず動摩擦が生じ、吸込部３１によって容易に吸引できるのである。
この吸引時には、ダクトホース３０の吸込部３１は側板３１ａ、３１ｂ、３１ｃ、３１ｄが下方に向かって広がって構成されている。そのため、空気が吸込部３１に吸引されていくときに、図３に示すように吸込部３１内で渦巻き状の流れとなってスピードを加速させながら上昇していく。
この上昇力によって大量の廃棄物１００が迅速にダクトホース３０を通って分別室１０へ運ばれるのである。
【００２１】
一方、篩部４２によって運ばれてきた重量物、例えば、瓦礫、陶磁器、金属等は、吸込部３１によって吸引されずにそのまま前方に落下して容器８２に収容される。
このように廃棄物は、篩部４２の先端部４１と、ダクトホース３０の先端の吸込部３１によって、軽量物と重量物とに分別されていく。
【００２２】
前記のように、ダクトホース３０によって吸引された軽量物は、分別室１０へと運ばれていき、フィルタ１７によって外部への流出が阻止されて、分別室１０内を落下してデッキ１３上に溜まっていく。
【００２３】
デッキ１３上の廃棄物の滞留が一定量、例えば１立米に達したら、パワーシリンダ１５を作動して、シリンダを縮短してデッキ１３の突起部１３ａを上昇させて、デッキ１３を下方に開くのである（図４仮想線参照）。これによって、デッキ１３上の廃棄物は、分別室１０の下方に落下し容器８１に収容される。
また、デッキ１３が下方に開くと、前記第１送風機２０は自動的に停止する構成となっている。これによって第１送風機２０の吸引力がなくなるため、この吸引力でフィルタ１７表面に付着していた軽量の廃棄物は自重で落下していくのである。
このように、デッキ１３の開放によって、フィルタ１７の目詰まりを自動的に防げるのである。
【００２４】
図５に示すように、前記開口部１６の周囲にはミスト発生装置１８を設ける。このミスト発生装置１８は、開口部１６の周囲を囲むようにフィルタ１７の上部に水平に配置された、一端を閉鎖したコ字型のパイプ１８ａからなり、このパイプの表面に所定間隔で孔１８ｂ，１８ｂ・・を穿設してある。
使用に際しては、開放端１８ｃから水道水を、２ｋｇ／ｃｍ2の圧力で送り込み、孔１８ｂ，１８ｂ・・から噴出させる。このとき、開口部１６には下方から上方へ空気が流れていて、孔１８ｂ，１８ｂ・・付近では気圧が低くなっているから、水は勢いよく噴出して細かいミスト（霧）となってフィルタ１７の表面に満遍なく散布されていくのである。
このミストは、廃棄物に付着して空気と共に外部に放出され、分別室内に水滴となって付着することはない。
【００２５】
これによって、フィルタ１７を通過した微細な廃棄物つまり粉塵類は、ミストに付着して落下して外部流出が防げるため、大気汚染が防止されるのである。
このように本実施例によれば、風力によって効率的な産業廃棄物の分別が迅速に行えると共に、産業廃棄物のリサイクルに貢献し、かつ大気汚染の恐れもない等の効果を奏するのである。
【実施例２】
【００２６】
図６ないし図８は、本発明の実施例２を示している。
本実施例の廃棄物の運搬装置８５は、水平なベルトコンベヤ８５であり、実施例１のような振動装置は備えていない。そのため、廃棄物１００は、ベルトコンベヤ８５の表面に面接触した状態で運搬されるため静止摩擦が働いているのである。
実施例２では、手選別を行う水平なベルトコンベヤ８５を記載したが、これに限らず、傾斜した搬送用のベルトコンベヤも、本発明に含まれるものとする。
【００２７】
また、本実施例の廃棄物の吸込み装置は、先端に吸込部７１を備えたダクトホース７０と、第２送風機７５のダクトホース７６からなる。そして前記吸込部７１の先端を運搬装置のベルトコンベヤ８５の表面近傍に配置すると共に、前記第２送風機７５のダクトホース７６先端の送風口７８を前記吸込部７１の側方に配置している。
他の構成要素は、実施例１と同様であるので、同一の番号を付して説明を省略する。
【００２８】
上記のように構成した実施例２の作用を説明する。
図６に示すように、産業廃棄物１００をベルトコンベヤ８５後端に投入して、ベルトコンベヤ８５を作動させると、廃棄物１００はベルトコンベヤ８５上で静止状態で、前方矢印方向に進んでいく。
【００２９】
これと同時に前記第２送風機７５を作動して、ダクトホース７６先端の送風口７８からベルトコンベヤ８５の表面に空気を吹きつけて、静止状態の廃棄物１００を強制的に動かす。
【００３０】
これと同時に、前記第１送風機２０を作動して、ダクトホース７０の先端の吸込部７１より空気を吸引する。これによって、前記第２送風機７５の送風口７８から噴出した空気は、ベルトコンベヤ８５の表面に衝突して廃棄物１００を移動させてから、吸込部７１によって吸引されダクトホース７０内を通って分別室１０に流れていく。
このとき、前記送風口７８から噴出される風力より、吸込部７１の吸引力の方が大きく、かつ送風口７８からの風力が吸込部７１の吸引力を助長して大きな吸引力が得られるのである。
そのため、廃棄物１００は外部に流出することなくすべて分別室１０に送り込まれるのである。
【００３１】
この状態を図８に基づいて説明すると、ダクトホース７０の吸込部７１は側板７１ａ、７１ｂ、７１ｃ、７１ｄが下方に向かって広がって構成されている。そのため、送風口７８から噴出した空気は、ベルトコンベヤ８５の表面に衝突してから吸込部７１に吸引されていくときに、吸込部７１内で渦巻き状の流れとなってスピードを加速させながら上昇していく。
この上昇力によって大量の廃棄物１００が迅速にダクトホース７０を通って分別室１０へ運ばれるのである。
分別室１０へ運ばれた後の作用、効果は、前記実施例１と同様のため省略する。
【００３２】
このように実施例２によれば、廃棄物１００がベルトコンベヤ８５の表面に面接触していて静止摩擦が働いている状態で運搬されている場合、送風口７８から空気を噴出させることによって、廃棄物１００を吹き上げて動摩擦を生じさせ、吸込部７１によって速やかに吸引することができるのである。
【符号の説明】
【００３３】
１０  廃棄物の分別室
１２  天板
１３  デッキ（底板）
１４  蝶番
１５  パワーシリンダ
１６  開口部
１７  フィルタ
１８  ミスト発生装置
２０  第１送風機
３０  ダクトホース（廃棄物の吸込み装置）
３１  吸込部
４０  振動篩装置
４１  先端部
４２  篩部
４４  振動装置
４９  スプリング
７０  ダクトホース
７１  吸込部
７５  第２送風機
７６  ダクトホース（送風装置）
７８  送風口
８５  ベルトコンベヤ（廃棄物の運搬装置）
１００  廃棄物（産業廃棄物）
【図１】
0005534164.tif 000002
【図２】
0005534164.tif 000003
【図３】
0005534164.tif 000004
【図４】
0005534164.tif 000005
【図５】
0005534164.tif 000006
【図６】
0005534164.tif 000007
【図７】
0005534164.tif 000008
【図８】
0005534164.tif 000009